(57)【要約】【課題】再生中のコンテンツに対し、ユーザーが本当に入力したいタイミングにコメントを付与する。【解決手段】情報処理装置は、再生中のコンテンツに対してユーザーがコメントの入力を開始したときのコンテンツの再生位置を保持する再生位置保持部と、  ユーザーが入力したコメントを前記の保持したコンテンツの再生位置に対応付けて保持するコメント情報保持部を備え、ユーザーがコメントをすべて入力し、確定したときには、入力開始時刻、そのときのコンテンツの再生位置、再生位置に対応するサムネイルを記録することができる。【選択図】  図１
2014030153.tif 000002
【特許請求の範囲】
【請求項１】
再生中のコンテンツに対してユーザーがコメントの入力を開始したときのコンテンツの再生位置を保持する再生位置保持部と、
ユーザーが入力したコメントを前記の保持したコンテンツの再生位置に対応付けて保持するコメント情報保持部と、
を具備する情報処理装置。
【請求項２】
前記コメント情報保持部は、コンテンツの再生位置におけるコンテンツを視覚化した視覚化情報を取得して、コメントに対応付けて保持する、
請求項１に記載の情報処理装置。
【請求項３】
ユーザーによるコメントの入力状況に応じて前記再生中のコンテンツの再生速度を制御する再生速度制御部をさらに備える、
請求項１に記載の情報処理装置。
【請求項４】
前記再生速度制御部は、ユーザーが前記再生中のコンテンツに対してコメントの入力を開始したことに応じて、前記再生中のコンテンツの再生速度を低下させる、
請求項３に記載の情報処理装置。
【請求項５】
前記再生速度制御部は、ユーザーが前記再生中のコンテンツに対してコメントの入力を開始してから所定時間が経過したことに応じて、前記再生中のコンテンツの再生速度制御部に対して再生速度の低下を指示する、
請求項３に記載の情報処理装置。
【請求項６】
前記再生速度制御部は、前記入力部でユーザーが入力したコメントの書き直しを行なったことに応じて前記再生中のコンテンツの再生速度を低下させる、
請求項３に記載の情報処理装置。
【請求項７】
前記再生中のコンテンツの各再生位置での視覚化情報を、ユーザーが前記再生中のコンテンツに対して入力中のコメントとともにユーザーに提示する視覚化情報提示部をさらに備える、
請求項２に記載の情報処理装置。
【請求項８】
前記視覚化情報提示部は、ユーザーが前記再生中のコンテンツに対してコメントを開始したときのコンテンツの再生位置を含む複数の再生位置での前記視覚化情報を提示し、ユーザーが選択した視覚化情報に対応する再生位置でコメントを記録する、
請求項７に記載の情報処理装置。
【請求項９】
再生中のコンテンツに対してユーザーがコメントの入力を開始したときのコンテンツの再生位置を保持する再生位置保持ステップと、
ユーザーが入力したコメントを前記の保持したコンテンツの再生位置に対応付けて保持するコメント情報保持ステップと、
を有する情報処理方法。
【請求項１０】
再生中のコンテンツに対してユーザーがコメントの入力を開始したときのコンテンツの再生位置を保持する再生位置保持部、
ユーザーが入力したコメントを前記の保持したコンテンツの再生位置に対応付けて保持するコメント情報保持部、
としてコンピューターを機能させるようコンピューター可読形式で記述されたコンピューター・プログラム。
【発明の詳細な説明】
【技術分野】
【０００１】
本明細書で開示する技術は、ユーザーから入力される情報を処理する情報処理装置及び情報処理方法、並びにコンピューター・プログラムに係り、特に、動画などのコンテンツを再生中にユーザーが入力するコメントなどの情報を処理する情報処理装置及び情報処理方法、並びにコンピューター・プログラムに関する。
【背景技術】
【０００２】
放送されたテレビ番組、ネットワーク上の動画共有サイトから配信されるストリーミング動画、あるいは、ブルーレイ・ディスクから再生される動画に対して、視聴中のユーザーがコメントを入力するシステムが知られている。例えば、動画や音楽などの同じコンテンツに対して複数のユーザーがネットワーク上でコメントを書き込むことで、情報を共有することができる。
【０００３】
一般に、動画などの再生中のコンテンツに対してユーザーがコメントを付ける際、コメントをすべて入力し、確定した際に反映される。長いコメントを入力したり、コメントの入力に手間取っていたりすると、その間コンテンツの再生が進行してしまい、コメントの内容とは整合しないシーンでコメントが反映されるなどの不都合がある。
【０００４】
図８に示すように、再生コンテンツを視聴しているユーザーが、再生位置ＴSでコメントを付与したいシーンを見つけ、「笑顔最高！」などのコメントをキーボードに入力を開始し、コンテンツの再生位置がＴFまで進行した時点で入力が確定したとする。しかしながら、コメントのキー入力には数秒乃至数十秒の時間を要することから、入力が確定した時点のコンテンツの再生位置ＴFでコメントを付与すると、再生位置がＴSからＴFまで進行するまでの間にシーンが変わることが十分予想され、「笑顔最高！」というコメントには対応しない別のシーンにコメントが付与されることが懸念される。
【０００５】
ユーザーは、素早く、短いコメントを入力する必要があり、そのため、タイミングを逃すことがある。また、コメントを書き直したり、長めのコメントを打ちたいときには、動画を停止したり、巻き戻したりする必要がある。このような行為は、動画自体を楽しむのを阻害する。
【０００６】
例えば、入力されたコメント情報のうち、再生する動画の動画再生時間に対応するコメント付与時間が対応づけられたコメントをコメント情報から読み出し、読み出したコメント内容を動画とともに表示するコメント配信システムについて提案がなされている（例えば、特許文献１を参照のこと）。しかしながら、コメント付与時間とは、コメント内容が入力された時点の動画再生時間のことであるから、対応するシーンにコメントを付けるには、ユーザーは素早く短いコメントを入力する必要があり、コメントを書き直したり、長めのコメントを打ったりするとタイミングを逃してしまう。
【先行技術文献】
【特許文献】
【０００７】
【特許文献１】特開２００９−７７４４３号公報
【発明の概要】
【発明が解決しようとする課題】
【０００８】
本明細書で開示する技術の目的は、動画などのコンテンツを再生中にユーザーが入力するコメントなどの情報を好適に処理することができる、情報処理装置及び情報処理方法、並びにコンピューター・プログラムを提供することにある。
【０００９】
本明細書で開示する技術のさらなる目的は、再生中のコンテンツに対し、ユーザーが本当に入力したいタイミングにコメントを付与することができる、情報処理装置及び情報処理方法、並びにコンピューター・プログラムを提供することにある。
【課題を解決するための手段】
【００１０】
本願は、上記課題を参酌してなされたものであり、請求項１に記載の技術は、
再生中のコンテンツに対してユーザーがコメントの入力を開始したときのコンテンツの再生位置を保持する再生位置保持部と、
ユーザーが入力したコメントを前記の保持したコンテンツの再生位置に対応付けて保持するコメント情報保持部と、
を具備する情報処理装置である。
【００１１】
本願の請求項２に記載の技術によれば、請求項１に記載の情報処理装置の前記コメント情報保持部は、コンテンツの再生位置におけるコンテンツを視覚化した視覚化情報を取得して、コメントに対応付けて保持するように構成されている。
【００１２】
本願の請求項３に記載の技術によれば、請求項１に記載の情報処理装置は、ユーザーによるコメントの入力状況に応じて前記再生中のコンテンツの再生速度を制御する再生速度制御部をさらに備えている。
【００１３】
本願の請求項４に記載の技術によれば、請求項３に記載の情報処理装置の前記再生速度制御部は、ユーザーが前記再生中のコンテンツに対してコメントの入力を開始したことに応じて、前記再生中のコンテンツの再生速度を低下させるように構成されている。
【００１４】
本願の請求項５に記載の技術によれば、請求項３に記載の情報処理装置の前記再生速度制御部は、ユーザーが前記再生中のコンテンツに対してコメントの入力を開始してから所定時間が経過したことに応じて、前記再生中のコンテンツの再生速度制御部に対して再生速度の低下を指示するように構成されている。
【００１５】
本願の請求項６に記載の技術によれば、請求項３に記載の情報処理装置の前記再生速度制御部は、前記入力部でユーザーが入力したコメントの書き直しを行なったことに応じて前記再生中のコンテンツの再生速度を低下させるように構成されている。
【００１６】
本願の請求項７に記載の技術によれば、請求項２に記載の情報処理装置は、前記再生中のコンテンツの各再生位置での視覚化情報を、ユーザーが前記再生中のコンテンツに対して入力中のコメントとともにユーザーに提示する視覚化情報提示部をさらに備えている。
【００１７】
本願の請求項８に記載の技術によれば、請求項７に記載の情報処理装置の前記視覚化情報提示部は、ユーザーが前記再生中のコンテンツに対してコメントを開始したときのコンテンツの再生位置を含む複数の再生位置での前記視覚化情報を提示し、ユーザーが選択した視覚化情報に対応する再生位置でコメントを記録するように構成されている。
【００１８】
また、本願の請求項９に記載の技術は、
再生中のコンテンツに対してユーザーがコメントの入力を開始したときのコンテンツの再生位置を保持する再生位置保持ステップと、
ユーザーが入力したコメントを前記の保持したコンテンツの再生位置に対応付けて保持するコメント情報保持ステップと、
を有する情報処理方法である。
【００１９】
また、本願の請求項１０に記載の技術は、
再生中のコンテンツに対してユーザーがコメントの入力を開始したときのコンテンツの再生位置を保持する再生位置保持部、
ユーザーが入力したコメントを前記の保持したコンテンツの再生位置に対応付けて保持するコメント情報保持部、
としてコンピューターを機能させるようコンピューター可読形式で記述されたコンピューター・プログラムである。
【００２０】
本願の請求項１０に係るコンピューター・プログラムは、コンピューター上で所定の処理を実現するようにコンピューター可読形式で記述されたコンピューター・プログラムを定義したものである。換言すれば、本願の請求項１０に係るコンピューター・プログラムをコンピューターにインストールすることによって、コンピューター上では協働的作用が発揮され、本願の請求項１に係る情報処理装置と同様の作用効果を得ることができる。
【発明の効果】
【００２１】
本明細書で開示する技術によれば、動画などのコンテンツを再生中にユーザーが入力するコメントなどの情報を好適に処理することができる、情報処理装置及び情報処理方法、並びにコンピューター・プログラムを提供することができる。
【００２２】
本明細書で開示する技術によれば、ユーザーが動画などのコンテンツを視聴し、コメントを入力し始めると、その入力開始時刻を記憶しておくことで、ユーザーが本当にコメントを入力したいコンテンツの再生位置にコメントを付与することができる。また、ユーザーが長いコメントを作成したり、入力を間違えてコメントを打ち直したりしたとしても、ユーザーが入力したい再生位置にコメントを付与することができる。入力したかった再生位置にコメントが付与されることから、ユーザーは、コメントを作成した後に、入力したかった再生位置にコンテンツを巻き戻すなどの作業を行なう必要がなくなるので、再生コンテンツを楽しむのを阻害することはない。
【００２３】
本明細書で開示する技術のさらに他の目的、特徴や利点は、後述する実施形態や添付する図面に基づくより詳細な説明によって明らかになるであろう。
【図面の簡単な説明】
【００２４】
【図１】図１は、本明細書で開示する技術の一実施形態に係る情報処理装置１００の機能的構成を示した図である。
【図２】図２は、情報処理装置１００上で再生コンテンツにコメントを付与する操作を説明するための図である。
【図３】図３は、情報処理装置１００上でコメント入力に応じて再生速度を制御しながら再生コンテンツにコメントを付与する操作を説明するための図である。
【図４】図４は、出力部９０７から表示されるコンテンツ再生画面の構成例を示した図である。
【図５】図５は、出力部９０７から表示されるコンテンツ再生画面の構成例（入力されたコメントとともに、入力開始時のサムネイルを表示した例）を示した図である。
【図６Ａ】図６Ａは、出力部９０７から表示されるコンテンツ再生画面の構成例（サムネイル表示フィールドを設けた例）を示した図である。
【図６Ｂ】図６Ｂは、出力部９０７から表示されるコンテンツ再生画面の構成例（コメントを付与する再生位置を調整する例）を示した図である。
【図７】図７は、再生コンテンツにコメントを付与するための情報処理装置１００上での処理手順を示したフローチャートである。
【図８】図８は、再生コンテンツにコメントを付与するための従来の操作例を示した図である。
【図９】図９は、本明細書で開示する技術の一実施形態に係る情報処理装置１００のハードウェア構成を模式的に示した図である。
【発明を実施するための形態】
【００２５】
以下、図面を参照しながら本明細書で開示する技術の実施形態について詳細に説明する。
【００２６】
図９には、本明細書で開示する技術の一実施形態に係る情報処理装置１００のハードウェア構成を模式的に示している。
【００２７】
ＣＰＵ（Ｃｅｎｔｒａｌ  Ｐｒｏｃｅｓｓｉｎｇ  Ｕｎｉｔ）９０１、ＲＯＭ（Ｒｅａｄ  Ｏｎｌｙ  Ｍｅｍｏｒｙ）９０２、ＲＡＭ（Ｒａｎｄｏｍ  Ａｃｃｅｓｓ  Ｍｅｍｏｒｙ）９０３は、バス９０４により相互に接続されている。
【００２８】
バス９０４には、さらに、入出力インターフェース９０５が接続されている。入出力インターフェース９０５には、キーボード、マウスなどよりなる入力部９０６、並びに、ディスプレイ、スピーカーなどよりなる出力部９０７が接続される。また、バス９０４には、ハード・ディスクや不揮発性のメモリーなどよりなる記憶部９０８、ネットワーク・インターフェースやディジタル放送チューナーなどよりなる通信部９０９、リムーバブル・メディア９１１を駆動するドライブ９１０が接続されている。
【００２９】
以上のように構成される情報処理装置１００上では、ＣＰＵ９０１が、例えば、記憶部９０８に記憶されているプログラムを入出力インターフェース９０５及びバス９０４を介してＲＡＭ９０３にロードして実行することにより、コンテンツ再生処理や、再生中のコンテンツに対するコメント入力に関する一連の処理（後述）が行なわれる。
【００３０】
ＣＰＵ９０１が実行するプログラムは、例えばリムーバブル・メディア９１１に記録してある。あるいは、ローカル・エリア・ネットワーク（ＬＡＮ）やインターネット、ディジタル放送といった、有線又は無線の伝送媒体を介して提供され、記憶部９０８にインストールされる。
【００３１】
なお、情報処理装置１００においてＣＰＵ９０１が実行するプログラムは、本明細書で説明する順序に沿って時系列に処理が行われるプログラムであっても良いし、並列に、あるいは呼び出しが行なわれたときなどの必要なタイミングで処理が行なわれるプログラムであっても良い。
【００３２】
また、図１には、本明細書で開示する技術の一実施形態に係る情報処理装置１００において、動画コンテンツの再生処理並びに再生中のコンテンツに対するコメント入力処理を行なうための機能的構成を示している。同図中、角丸四角形で描かれたブロックは、基本的には、ＣＰＵ９０１が実行するプログラムと情報処理装置内のハードウェア構成要素との協働的動作により実現される機能ブロックである。また、各機能ブロックがすべて１台の情報処理装置１００で動作しても、あるいは、少なくとも一部の機能ブロックがネットワークなどで相互接続された他の情報処理装置で動作していてもよい。以下、各部について説明する。
【００３３】
コンテンツ記録部１０１は、記憶部９０８や（ドライブ９１０及び）リムーバブル・メディア９１１などの動画などのコンテンツを記録メディアに記録するハードウェア構成要素と、記録メディアからコンテンツを読み出すプログラムにより構成される。また、コンテンツ受信部１０２は、ネットワーク・インターフェースやディジタル放送チューナーなどよりなる通信部９０９と、通信部９０９を介してネットワーク上のコンテンツ配信サーバー（図示しない）から動画コンテンツのストリームを受信したり、放送コンテンツを選局受信したりするプログラムにより構成される。
【００３４】
再生部１０４は、コンテンツ記録部１０１で記録メディアから読み出されたコンテンツや、コンテンツ受信部１０２で受信した放送コンテンツ又はネットワーク・コンテンツを再生処理して、ディスプレイやスピーカーを備えた出力部１０９から再生コンテンツの映像及び音声を出力させる。また、再生速度制御部１０５は、再生部１０４によるコンテンツの再生速度を制御する。
【００３５】
入力部９０６は、例えばキーボードやマウスのようなデバイスで構成され、再生するコンテンツの選択や、再生部１０４で再生中のコンテンツに対するコメントの入力に利用することができる。なお、キーボード以外に、タッチパネルによる手書き入力や音声入力などをコメントの入力に適用することもできる。入力部９０６から入力されたコメントは、出力部９０７で再生コンテンツとともに画面に表示される。また、ユーザーは、画面に表示されたコメントの内容を確認すると、一度入力したコメントの書き直しを入力部９０６から行なうことができる。
【００３６】
入力制御部１０６は、入力部９０６からのユーザー入力を制御する。再生部１０４で再生中のコンテンツに対してユーザーが入力部９０６からコメントを入力する際には、再生部１０４からコンテンツ再生位置と再生コンテンツのサムネイル（あるいは、再生位置におけるコンテンツを視覚化したその他の視覚化情報）を取得して、入力部９０６に対するコメントの入力開始時刻と並びに入力されたコメントとともに保持する。また、入力制御部１０６は、入力部９０６から入力操作中のコメント並びに入力が確定したコメントを再生部１０４に出力する。再生部１０４は、入力制御部１０６から受け取ったコメントを、サムネイルとともに出力部９０７から画面に表示する。
【００３７】
また、入力制御部１０６は、ユーザーが再生コンテンツに対するコメントを入力中は、コメントの入力作業の状況に応じて、再生速度制御部１０５に対してコンテンツの再生速度を指示する。
【００３８】
具体的には、入力制御部１０６は、入力部９０６でユーザーがコメントの入力を開始したことを検出すると、再生速度制御部１０５に通知して、コメントの入力作業が終わるまでの間は再生部１０４でのコンテンツの再生速度を低下させる。あるいは、入力制御部１０６は、コメントの入力開始時刻と現在の時刻を比較して、ユーザーがコメントの入力を開始してから一定時間が経過したことを検出すると、コメントの入力作業に時間を要すると判断して、再生速度制御部１０５に通知して、コンテンツの再生速度を低下させる。
【００３９】
また、入力制御部１０６は、入力部１０７でユーザーがコメントの書き直しを行なっていることを検出すると、同様に、再生速度制御部１０５に通知して、コンテンツの再生速度を低下させる。例えば、入力制御部１０６は、入力部９０６としてのキーボード上でＢａｃｋＳｐａｃｅキーが押される、あるいは文字が上書きされるなど、コメントを削除する行為が行なわれたことに基づいて、ユーザーがコメントの書き直しを行なっていることを検出することができる。
【００４０】
このように、ユーザーが再生コンテンツに対するコメント入力中、あるいはコメントの入力に時間を要しているときには、再生速度が低下することから、ユーザーは、所望のシーンに近い再生位置を見て、所望のシーンに対する印象を保ちながら、入力作業を行なうことができ、より入力し易くなる。
【００４１】
そして、入力制御部１０６は、ユーザーがコメントをすべて入力し、確定したときには、入力開始時刻、そのときのコンテンツの再生位置、再生位置に対応するサムネイルを、記録部１０８に記録する。ここで言う記録部１０８は、入力制御部１０６や再生処理部１０３が動作する情報処理装置１００内の記憶部９０８であってもよいし、情報処理装置１００とは異なる情報処理装置内の記憶部、あるいは、通信部９０９を介して接続されるネットワーク上のサーバー装置（例えば、コンテンツ配信サーバーやコメント共有サーバーなど）内の記憶部であってもよい。コンテンツ再生位置に対応付けて記録したコンテンツの利用方法については、本明細書では説明を省略する。
【００４２】
情報処理装置１００上で再生コンテンツに、コンテンツ再生位置と対応付けてコメントを付与する操作について、図２、図３を参照しながら説明する。
【００４３】
再生コンテンツを視聴しているユーザーが、再生位置ＴSでコメントを付与したいシーンを見つけ、「笑顔最高！」などのコメントを入力部０９６から入力を開始し、コンテンツの再生位置がＴFまで進行した時点で入力が確定したとする。上述したように、入力制御部１０６は、ユーザーがコメントの入力を開始した時点でのコンテンツの再生位置ＴSを再生部１０４から取得して保持している。そして、入力制御部１０６は、ユーザーによるコメントの入力が確定したときに、入力が確定したときの再生位置ＴFではなく、図２下段に示すように、入力開始した再生位置ＴSと対応付けて記録部１０８に記録する。
【００４４】
また、入力制御部１０６は、コメントの入力作業の状況に応じて、再生速度制御部１０５に対してコンテンツの再生速度を指示する。入力制御部１０６は、ユーザーから入力部９０６への最初にコメント入力を受け付けると、再生部１０４でその時点での再生位置ＴSで取得して保持するとともに、再生速度制御部１０５に指示を出して、ユーザーが入力部１０７からコメントの入力を行なっている間は、コンテンツの再生速度を低下させる。あるいは、入力制御部１０６は、コメントの入力開始時刻と現在の時刻を比較して、ユーザーがコメントの入力を開始してから一定時間が経過したことを検出すると、コメントの入力作業に時間を要すると判断して、再生速度制御部１０５に通知して、コンテンツの再生速度を低下させる。
【００４５】
図３上段には、コメント入力中も常に標準の再生速度でコンテンツを再生する場合を示し、また、同図下段には、コメント入力中は再生速度を低下させるよう制御する場合を示している。上下段いずれのも、横方向の長さは同じ時間を表すものとする。再生速度が常に一定の場合も、コメント入力中は再生速度を低下させる場合も、コメント入力には同じ作業時間ｔwがかかったとする。
【００４６】
図３上段に示すように、常に標準の再生速度でコンテンツを再生する場合には、作業時間ｔwの間に、コンテンツ再生位置がＴFまで進行してしまい、ユーザーはコメントの入力を開始した時点からシーンが変化した映像を見ながらコメントの入力を行なわなければならなくなる。これに対し、図３下段に示すように、コメント入力中は再生速度を低下させる場合には、ＴFより手前の再生位置ＴF−ΔＴまでしか進行しない。すなわち、作業時間ｔwの間は再生速度の低下によりシーンの変化が緩やかになることから、コメントの入力を行なっている間は、所望のシーンから変化の少ない映像を見続けることができるので、所望のシーンで受けた印象を保持しながらコメントの入力を行なうことができる。
【００４７】
なお、ここでは図示しないが、入力開始から所定時間の経過した後に再生速度を低下させる場合や、コメントの書き直し時に再生速度を低下させる場合も、同様に、ユーザーは所望のシーンからの変化の少ない映像を見続けることにより、コメントを入力し易くなる。
【００４８】
また、図４には、出力部９０７から表示されるコンテンツ再生画面の構成例を示している。同図に示す例では、再生コンテンツを表示するコンテンツ表示領域４０１の下端に、コメント入力フィールド４０２が配設されている。入力部１０７でユーザーから入力されると、コメント入力フィールド４０２に表示される。
【００４９】
入力部９０６からコメントの文字が入力され、あるいは、削除や書き直しが行なわれる度に、入力制御部１０６はその文字情報を再生部１０４に出力する。そして、再生部１０４は、コメント入力フィールド４０２の表示を逐次更新する。なお、コメントの入力が開始されてからコメント入力フィールド４０２を画面に出現させ、コメントの入力を開始する前や、コメントの入力が確定した後はコメント入力フィールド４０２を画面から消すようにしてもよい。
【００５０】
また、図５に示すように、コメント入力フィールド４０２の左端には、入力開始時刻に対応する再生位置ＴSから取得したサムネイル５０１が表示される。コンテンツ表示領域４０１の再生コンテンツは、コメント入力作業中も再生位置が進行していくので、ユーザーは、コメントを付与しようとしているシーンを、コンテンツ表示領域からは次第に想起できなくなっていく。これに対し、サムネイルは、入力を開始した時点の再生コンテンツを静止画にしたものなので、ユーザーは、サムネイル５０１を見て、どこのシーンに対してコメントしようとしているのかを、常に確認することができる。なお、コンテンツ入力中も常に標準速度でコンテンツを再生する場合（図３上段を参照のこと）、並びに、コンテンツ入力中は再生速度を低下させる場合（図３下段を参照のこと）のいずれの場合も、再生位置ＴSのサムネイル５０１を表示させるようにしてもよい。
【００５１】
また、図６Ａに示すように、コメント入力フィールド４０２とは別にサムネイル表示フィールド６０１を設けるようにしてもよい。同図に示す例では、コンテンツ表示フィールド４０１の下方に、コンテンツ入力フィールド４０２と平行するように、サムネイル表示フィールド６０１が配設されている。サムネイル表示フィールド６０１内には、再生中のコンテンツから切り出されたフレームのサムネイルが左から右に向かって時系列に配置されている。サムネイル表示フィールド６０２には、入力開始時の再生コンテンツのサムネイルとともに、入力開始時に前後する複数の再生位置でのサムネイルが時系列で表示される。例えば右端のサムネイルが現在の再生位置のサムネイルであり、左に向かうに従って過去にさかのぼった再生位置のサムネイルである。
【００５２】
ここで、コンテンツ再生画面上で、入力したコンテンツを付与する再生位置を調整する機能を備えている。ユーザーがコメントをすべて入力し、確定したとき、図６Ｂに示すように、サムネイル表示フィールド６０１には、時系列に表示されたサムネイルのうち１つを囲むカーソル６０２が表示される。このカーソル６０２は、コメント入力フィールド４０２に入力されたコメントと対応する再生位置のサムネイルに付与される。初期時すなわちユーザーがコメントの入力を開始した直後は、コメント入力を開始した再生位置ＴSのサムネイルにカーソル６０２が置かれる。ユーザーは、入力部９０６を介した入力操作により、サムネイル表示フィールド６０１内のサムネイル列上で、カーソル６０２を移動させることができ、入力したコメントを本当に付与したい再生位置を修正することができる。図示の例では、再生位置ＴSよりも進んだ再生位置のサムネイルがカーソル６０２で選択されている。
【００５３】
図７には、再生コンテンツにコメントを付与するための情報処理装置１００上での処理手順をフローチャートの形式で示している。
【００５４】
ユーザーが入力部９０６でコメントの入力を開始するとこの処理が起動し、まず、入力制御部１０６は、入力開始時刻を保持するとともに、入力開始時のコンテンツの再生位置ＴSやその再生位置ＴSに対応するサムネイルを再生部１０４から取得し、保持しておく（ステップＳ７０１）。なお、図７のフローチャート中では図示を省略したが、図６Ｂに示したように、ステップＳ７０１で保持した再生位置ＴSを、その後にユーザーの操作により変更する場合もある。
【００５５】
そして、入力制御部１０６は、ユーザーが入力部９０６へのコメントの入力が終了したかどうかをチェックする（ステップＳ７０２）。例えば、コメント入力フィールド４０２に入力された文字列に対し、Ｅｎｔｅｒキーが押され、文字列が確定したかどうかで入力が終了したかどうかを判断する。
【００５６】
入力部９０６でユーザーによるコメントの入力が継続している間、すなわちコメントの入力が終了しない間（ステップＳ７０２のＹｅｓ）、入力制御部１０６は、保持している入力開始時刻から現在時刻までの経過時間を計測する。そして、入力開始から一定時間が経過したことを検出すると（ステップＳ７０３のＹｅｓ）、再生速度制御部１０５に通知して、コメントの入力作業に時間を要すると判断して、コンテンツの再生速度を低下させる（ステップＳ７０４）。但し、入力制御部１０６は、ステップＳ７０３の判断をスキップして、入力部９０６へのコメント入力が開始されると直ちに、再生速度制御部１０５に通知して、コンテンツの再生速度を低下させるようにしてもよい。
【００５７】
一方、ユーザーがコメントを入力し終えたときには（ステップＳ７０２のＮｏ）、入力制御部１０６は、入力したコメントが確定したかどうかをさらにチェックする（ステップＳ７０５）。
【００５８】
ここで、ユーザーが入力部９０６から入力されたコメントが確定したときには（ステップＳ７０５のＹｅｓ）、入力制御部１０６は、対応するコンテンツの再生位置、再生位置に対応するサムネイルを、記録部１０８に記録（再生位置に付与されたコメントとして登録）する（ステップＳ７０６）。なお、図７のフローチャート中では図示を省略したが、図６Ｂに示したように、ユーザーがコメントを付与する再生位置を、コメントの入力開始時の再生位置ＴSから変更している場合もある。
【００５９】
他方、入力が終了したコメントが確定しないときには（ステップＳ７０５のＮｏ）、入力制御部１０６は、ステップＳ７０１で記録しておいた入力開始時刻、再生位置、並びにサムネイルを破棄する（ステップＳ７０７）。
【００６０】
そして、入力制御部１０６は、再生速度制御部１０５に対し、コンテンツの再生速度を元に戻すよう指示して（ステップＳ７０８）、本処理ルーチンを終了する。
【００６１】
このように情報処理装置１００上では、ユーザーが動画などのコンテンツを視聴し、コメントを入力し始めると、その入力開始時刻を記憶しておくことで、ユーザーが本当にコメントを入力したいコンテンツの再生位置にコメントを付与することができる。また、ユーザーが長いコメントを作成したり、入力を間違えてコメントを打ち直したりしたとしても、ユーザーが入力したい再生位置にコメントを付与することができる。
【００６２】
なお、本明細書の開示の技術は、以下のような構成をとることも可能である。
（１）再生中のコンテンツに対してユーザーがコメントの入力を開始したときのコンテンツの再生位置を保持する再生位置保持部と、ユーザーが入力したコメントを前記の保持したコンテンツの再生位置に対応付けて保持するコメント情報保持部と、を具備する情報処理装置。
（２）前記コメント情報保持部は、コンテンツの再生位置におけるコンテンツを視覚化した視覚化情報を取得して、コメントに対応付けて保持する、上記（１）に記載の情報処理装置。
（３）ユーザーによるコメントの入力状況に応じて前記再生中のコンテンツの再生速度を制御する再生速度制御部をさらに備える、上記（１）に記載の情報処理装置。
（４）前記再生速度制御部は、ユーザーが前記再生中のコンテンツに対してコメントの入力を開始したことに応じて、前記再生中のコンテンツの再生速度を低下させる、上記（３）に記載の情報処理装置。
（５）前記再生速度制御部は、ユーザーが前記再生中のコンテンツに対してコメントの入力を開始してから所定時間が経過したことに応じて、前記再生中のコンテンツの再生速度制御部に対して再生速度の低下を指示する、上記（３）に記載の情報処理装置。
（６）前記入力制御部は、前記入力部でユーザーが入力したコメントの書き直しを行なったことに応じて前記再生中のコンテンツの再生速度を低下させる、上記（３）に記載の情報処理装置。
（７）前記再生中のコンテンツの各再生位置での視覚化情報を、ユーザーが前記再生中のコンテンツに対して入力中のコメントとともにユーザーに提示する視覚化情報提示部をさらに備える、上記（２）に記載の情報処理装置。
（８）前記視覚化情報提示部は、ユーザーが前記再生中のコンテンツに対してコメントを開始したときのコンテンツの再生位置を含む複数の再生位置での前記視覚化情報を提示し、ユーザーが選択した視覚化情報に対応する再生位置でコメントを記録する、上記（７）に記載の情報処理装置。
（９）再生中のコンテンツに対してユーザーがコメントの入力を開始したときのコンテンツの再生位置を保持する再生位置保持ステップと、ユーザーが入力したコメントを前記の保持したコンテンツの再生位置に対応付けて保持するコメント情報保持ステップと、を有する情報処理方法。
（１０）再生中のコンテンツに対してユーザーがコメントの入力を開始したときのコンテンツの再生位置を保持する再生位置保持部、ユーザーが入力したコメントを前記の保持したコンテンツの再生位置に対応付けて保持するコメント情報保持部、としてコンピューターを機能させるようコンピューター可読形式で記述されたコンピューター・プログラム。
【産業上の利用可能性】
【００６３】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。例えばファクシミリ機器、移動無線端末やコードレス電話機、電子手帳、ビデオ・カメラなどの各種コードレス機器、ワードプロセッサ等のような、バッテリ駆動タイプの各種電気・電子機器に対しても、本発明を適用することができる。
【００６４】
本明細書で開示する技術は、パーソナル・コンピューターや、テレビ受像機、スマートフォンなどの多機能携帯電話機、メディア・プレイヤーのような、動画像を始めとするコンテンツの再生機能を備えた各種情報処理端末、あるいは、テレビ受像機やメディア・プレイヤー、その他のコンテンツ再生装置に接続して用いられる各種入力情報端末などに適用することができる。
【００６５】
また、本明細書で開示する技術は、動画像以外にも、音声やその他の再生コンテンツに対してコメントを付与する場合にも同様に適用することができる。
【００６６】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【００６７】
１００…情報処理装置
１０１…コンテンツ記録部
１０２…コンテンツ受信部、１０３…通信部
１０４…再生部
１０５…再生速度制御部
１０６…入力制御部
１０７…入力部
１０８…記録装置
１０９…出力部、１０９Ａ…ディスプレイ、１０９Ｂ…スピーカー
２００…動画再生端末、３００…入力端末
４０１…コンテンツ表示領域、４０２…コメント入力フィールド
５０１…サムネイル
６０１…サムネイル表示フィールド、６０２…カーソル
９０１…ＣＰＵ、９０２…ＲＯＭ、９０３…ＲＡＭ
９０４…バス、９０５…入出力インターフェース
９０６…入力部、９０７…出力部、９０８…記憶部
９０９…通信部、９１０…ドライブ、９１１…リムーバブル・メディア
【図１】
2014030153.tif 000003
【図７】
2014030153.tif 000004
【図９】
2014030153.tif 000005
【図２】
2014030153.tif 000006
【図３】
2014030153.tif 000007
【図４】
2014030153.tif 000008
【図５】
2014030153.tif 000009
【図６Ａ】
2014030153.tif 000010
【図６Ｂ】
2014030153.tif 000011
【図８】
2014030153.tif 000012